(57)【特許請求の範囲】
【請求項１】
容器本体の口部（内径Ｙ）に栓を着脱自在に嵌合し、上記栓の外周面に装着したパッキンを上記口部の下部に設けたシール段部に押圧せしめてシールを図るようにした液体容器において、上記栓の外周面下部に上部が大径部（外径Ｘ、但しＸ＜Ｙ）、下部が小径部となる段差部を設け、該段差部の小径部側に上記のパッキンの基部を装着し、その基部の下方に形成されたリップ部が下方に突出するとともに側方に一定の突き出し量（Ｘ１）をもって湾曲し、かつ上記リップ部は内径方向へ自由に弾性変形する余裕をもち、上記パッキンを正常な取付け姿勢で取付けたときのリップ部を含む栓の最大径（Ｘ＋２Ｘ１）が上記口部の内径（Ｙ）とほぼ同一かそれより大に設定され、上記パッキンを上下逆付けしたとき上記リップ部が上記大径部の外周面上に重なる形状をなし、その逆付け状態におけるリップ部の肉厚（ΔＸ）を大径部の外径（Ｘ）に加えた栓の外径（Ｘ＋２ΔＸ）が上記口部の内径（Ｙ）より大に形成されたことを特徴とする液体容器の栓。
【発明の詳細な説明】
【０００１】
【発明の属する技術分野】
この発明は、水筒、魔法びん等の液体容器に関し、特にその栓の取付け構造に関するものである。
【０００２】
【従来の技術】
水筒、魔法びん等の液体容器は、図３（ａ）に示すように、容器本体１の口部２の内部に栓３を着脱自在に嵌合し、その栓３の外周面下部に装着したパッキン４を上記口部２の内周面下部のシール段部５に押圧してシールを図る構造がとられる。
【０００３】
上記の栓３の外周面下部には、図３（ｂ）に示すように上部が大径部６、下部が小径部７となる段差部８が設けられる。その小径部７下端に嵌合リブ９が設けられ、パッキン４の基部１１が段差部８と嵌合リブ９の間に装着される。パッキン４はその取付け基部１１から下向きに突出すると共に側方に湾曲したリップ部１２が形成され、そのリップ部１２が前記のシール段部５に押圧される。
【０００４】
なお、上記の栓３は容器本体１の口部２の上部にねじ結合等により取付けられる。
【０００５】
容器本体１は、ステンレス製の真空二重容器１３の上端に肩部材１４を一体に設けたものであり、その肩部材１４の上部と真空二重容器１３の上部とにより、前述の口部２が形成される。但し、肩部材１４を設けず真空二重容器１３の上部のみにより口部２を形成することもある。
【０００６】
なお、上記口部２に栓３を覆うコップ兼用の蓋１５が嵌着される。
【０００７】
【発明が解決しようとする課題】
上記のような液体容器において、使用者が栓３の手入れを行う際に、パッキン４を取外すことがあるが、そのパッキン４を再び取付ける際に、不注意によって上下逆付けすることがある。図３（ｃ）はその逆付け状態を示す。この状態ではリップ部１２が上向きとなって大径部６の外周面を覆うので、リップ部１２を大径部６に押し付けた状態でのリップ部１２の肉厚をΔＸ、大径部６の外径をＸ、口部２の最小内径をＹとすると、上記の逆付け状態においてＹ＞Ｘ＋２ΔＸの関係にあり栓３を自由に口部２に嵌合させることができる。
【０００８】
しかし、栓３を口部２に嵌合してもリップ部１２がシール段部５に当たらないためシールが不完全となり、内部の液体が漏出するおそれがある。
【０００９】
そこで、この発明は上記のようにパッキン４が逆付けされた場合に、これを事前に使用者に気付かせ、正常な取付け姿勢に変更することを促すことを課題とする。
【００１０】
【課題を解決するための手段】
上記の課題を解決するために、この発明は容器本体の口部に栓を着脱自在に嵌合し、上記栓の外周面に装着したパッキンを上記口部の下部に設けたシール段部に押圧せしめてシールを図るようにした液体容器において、上記パッキンを上下逆付けした場合に該パッキンを含む上記栓の外径が上記口部の内径より大となって、該栓の取付けが不可能となる構成としたものである。
【００１１】
上記栓の外周面に上部が大径部、下部が小径部となる段差部を設け、該段差部の小径部側に上記のパッキンを装着した構成とすることができる。
【００１２】
また、上記パッキンは、これを上下逆付けしたときその取付け基部より下方に突出したシール用のリップ部が上記大径部の外周面上に重なる形状をなし、該大径部に該リップ部の肉厚を加えた全体の外径が上記口部の内径より大となって該栓の取付けが不可能となる構成をとることができる。
【００１３】
さらに、上記パッキンのリップ部は、側方に湾曲し、かつ内径方向に変形可能な板状であり、該パッキンを上記栓に正常な取付け姿勢で取付けたときのリップ部の最大径が上記口部の内径とほぼ同一かそれより大である構成をとることができる。
【００１４】
【発明の実施の形態】
以下、この発明の実施形態を図１及び図２に基づいて説明する。
【００１５】
図１（ａ）、（ｂ）に示すように、実施形態の液体容器は魔法びんであり、従来の場合と基本的に同一構造であるので、同一部分には同一符号を付けて示すにとどめ、その説明を省略する。以下相違する部分について説明する。
【００１６】
この実施形態の場合のパッキン４の取付け部分は、嵌合リブ９の下端に弁座１６が形成されており、パッキン４の基部１１の内径面に形成された嵌合溝１７が上記の嵌合リブ９に嵌合するようになっている。上記パッキン４の基部１１の下部にリップ部１２が形成され、該リップ部１２は下方に突出すると共に側方に湾曲している。
【００１７】
また、栓３の上端に閉塞部１８が設けられ、その閉塞部１８の外周壁１９の内面に形成されたねじ部２１が肩部材１４の外周のねじ部２２にねじ結合される。
【００１８】
栓３の開閉機構は任意のものを採用できるが、図示の場合は、特開平７−２０４１０８号公報に開示されているものを採用している。即ち、操作ボタン２３を押下げることにより、弁棒２４が押下げられて弁体２５が弁座１６から離れる。また、栓３の閉塞部１８にスライド自在に取付けた開閉表示部材２６が操作ボタン２３から外れ、付勢ばね２７の弾力で後退し、またその開閉表示部材２６の前端部が吐出口２８を開放する。この状態で容器本体１を傾けると、内部の液体が吐出されるようになっている。
【００１９】
ところで、上記の栓３の大径部６の外径Ｘは、前記のシール段部５より上方の口部２の内径Ｙ（図２参照）より小さく形成される（Ｘ＜Ｙ）が、パッキン４を装着することにより、上記の外径Ｘにリップ部１２の側方への湾曲による突き出し量Ｘ1 が加わるため、全体としてＸ＋２Ｘ1 となる。このＸ＋２Ｘ1 と内径Ｙとの関係は、通常Ｘ＋２Ｘ1 ＜Ｙの関係に設定されるが、Ｘ＋２Ｘ1 ≧Ｙの関係に設定することもできる。
【００２０】
Ｘ＋２Ｘ1 ≧Ｙの関係に設定しても、栓３を口部２に挿入する際は、リップ部１２は内径方向へ自由に弾性変形する余裕があるので、その突き出し量Ｘ1 の影響を無視することができる。即ち、栓３を支障無く挿入できる。
【００２１】
また、栓３の挿入に支障を生じさせない範囲で突出し量Ｘ1 の大きいパッキン４を使用すると、シール段部５の内径を大きく形成することができるので、真空二重容器１３の内部に氷塊等を投入したり、内部を洗浄したりすることが容易になる。
【００２２】
一方、パッキン４を逆付けしたときは、図２に示すようにリップ部１２は大径部６に当たるため、内方へ自由に撓むことができず、そのリップ部１２の肉厚ΔＸがそのまま栓３の外径に上載せされ、全体の外径はＸ＋２ΔＸとなる。この外径Ｘ＋２ΔＸが口部２の内径Ｙより大であるように設定される。
【００２３】
以上の関係をまとめると、この発明においては、実質的にＸ＜Ｙ＜Ｘ＋２ΔＸの関係に設定される。このように設定することにより、パッキン４の取付け姿勢が正常であると、栓３を口部２に無理無く挿入できるが、逆付けされていると栓３を口部２に挿入できないので、使用者にパッキン４が逆付けであることを気付かせることができる。
【００２４】
なお、上記の実施形態では、内径Ｙの最小部分が肩部材１４にあるように形成しているが、真空二重容器１３に最小部分があるように形成してもよい。さらに、上記肩部材１４の機能の一部又は全部を真空二重容器１３に持たせ、肩部材１４が口部２を構成しないタイプのものや、肩部材１４がないタイプにもこの発明を適用できることは云うまでもない。
【００２５】
【発明の効果】
以上のように、この発明によれば手入れの際等に不注意によりパッキンを逆付けしたとしても、栓を容器本体の口部に挿入できないことにより、使用者にパッキンが逆付けであることを気付かせ、正常な取付け姿勢に変更させることができる。
【図面の簡単な説明】
【図１】（ａ）実施形態の断面図
（ｂ）（ａ）図の一部拡大断面図
【図２】実施形態のパッキン逆付け状態の分解断面図
【図３】（ａ）従来例の断面図
（ｂ）同じく一部拡大断面図
（ｃ）同じくパッキン逆付け状態の一部拡大断面図
【符号の説明】
１  容器本体
２  口部
３  栓
４  パッキン
５  シール段部
６  大径部
７  小径部
８  段差部
９  嵌合リブ
１１  基部
１２  リップ部
１３  真空二重容器
１４  肩部材
１５  蓋
１６  弁座
１７  嵌合溝
１８  閉塞部
１９  外周壁
２１  ねじ部
２２  ねじ部
２３  操作ボタン
２４  弁棒
２５  弁体
２６  開閉表示部材
２７  付勢ばね
２８  吐出口
【図１】
0003662428.tif 000002
【図２】
0003662428.tif 000003
【図３】
0003662428.tif 000004